(57)【要約】      （修正有）【課題】送信手段に盗難を防止する盗難防止装置が設けられた店員呼び出しシステムを提供すること。【解決手段】各機体を特定するための機体識別信号を含む呼び出し信号を発信する複数の送信手段１０と、前記呼び出し信号を受信し、該呼び出し信号に含まれる機体識別信号に対応した機体識別記号を表示する表示手段２０と、前記機体識別記号を前記表示手段から消去する表示消去機３０とからなる店員呼び出しシステムであって、前記送信手段１０が、それが傾いた状態が一定時間保持されると警報音を鳴らす警報手段を備えることを特徴とする店員呼び出しシステムＡ。【選択図】  図１
2008305032.tif 000002
【特許請求の範囲】
【請求項１】
各機体を特定するための機体識別信号を含む呼び出し信号を発信する複数の送信手段と、
前記呼び出し信号を受信し、該呼び出し信号に含まれる機体識別信号に対応した機体識別記号を表示する表示手段と、
前記機体識別記号を前記表示手段から消去する表示消去機とからなる店員呼び出しシステムであって、
前記送信手段は、それが傾いた状態が一定時間保持されると警報音を鳴らす警報手段を備えることを特徴とする店員呼び出しシステム。
【請求項２】
前記送信手段が、該送信手段に内蔵された電源の電圧を測定する電圧測定部と、
該電圧測定部で測定された測定結果が所定の値を下回っていた場合に、機体識別信号を含む電圧低下通知信号を前記表示手段に向かって発信する発信部と、をさらに備え、
前記表示手段が、前記電圧低下通知信号に含まれる機体識別信号を一時的に保存するための記憶手段をさらに備え、
前記表示手段は、前記表示消去機に設けられた残量情報表示スイッチに接続された発信手段から発信される信号を受信すると、前記記憶手段に保存された機体識別信号に対応した機体識別記号を表示することを特徴とする請求項１記載の店員呼び出しシステム。
【請求項３】
前記表示手段が、機体識別記号を複数個表示することができることを特徴とする請求項１記載の店員呼び出しシステム。
【請求項４】
前記表示消去機が、前記表示手段に表示された複数個の機体識別記号を一括して消す機能を有することを特徴とする請求項３記載の店員呼び出しシステム。
【請求項５】
前記警報手段が、警報音を鳴らすと共に前記表示手段に向かって機体識別信号を含む警報信号を送信する機能を有し、
前記表示手段は前記警報信号を受信すると、注意を喚起するための警告記号を表示することを特徴とする請求項１記載の店員呼び出しシステム。
【請求項６】
前記電圧測定部は、前記呼び出し信号が発信された後に自動的に作動することを特徴とする請求項２記載の店員呼び出しシステム。
【発明の詳細な説明】
【技術分野】
【０００１】
本発明は店舗等において客が店員を呼び出す際に使用される店員呼び出しシステムに関する。
【背景技術】
【０００２】
従来、特に大型なファミリーレストラン等において、客がメニューを決定して注文する場合に、テーブル上に設置された送信手段を押して、店員を呼び出すシステム、すなわち店員呼び出しシステムが用いられている（特許文献１参照）。
店員呼び出しシステムは、呼び出し信号を発信する送信手段と、送信手段から発信された電波を受信し、その呼び出し信号を発信した送信手段を特定する機体識別記号を表示窓に表示する表示手段と、表示窓に表示された情報を消去する表示消去機とからなる。
【０００３】
呼び出し信号にはテーブル番号に対応した機体識別信号が含まれており、表示手段が呼び出し信号を受信すると、表示手段は表示窓にテーブル番号を表示する。
【０００４】
店員は表示窓に表示されたテーブル番号を確認し、そのテーブルへ応対に向かう。
応対を終えると、店員は表示消去機を操作して、表示窓に表示されていたテーブル番号を消去する。
こうすることで、表示手段に表示されるテーブル番号は、注文を受けていないテーブル番号だけとなり、別の店員が重複して注文を受けることがなくなる。
【特許文献１】特公平１−２０４８０号公報
【発明の開示】
【発明が解決しようとする課題】
【０００５】
このような店員呼び出しシステムを導入した店舗では、しばしば悪質な客により手元にある送信手段が持ち去られることがあった。
この店員呼び出しシステムにおいては、送信手段が一つでも紛失するとそれがシステム全体に影響を与え十分機能しなくなる場合がある。
送信手段が紛失する度に新たに送信手段を購入したり、場合によってはシステム全体を交換したりすることがあり、非常に不経済である。
【０００６】
本発明は以上の課題を解決すべく開発されたものである。
すなわち、送信手段に盗難を未然に防止する警報手段が設けられた店員呼び出しシステムを提供することを目的とする。
【課題を解決するための手段】
【０００７】
本発明者は、以上のような課題背景をもとに鋭意研究を重ねた結果、送信手段が一定時間以上傾斜した体勢を保持すると警報音を鳴らす警報手段を備えることで上記の課題を解決できることを見出し、その知見に基づいて本発明を完成させたものである。
【０００８】
すなわち本発明は、各機体を特定するための機体識別信号を含む呼び出し信号を発信する複数の送信手段と、前記呼び出し信号を受信し、該呼び出し信号に含まれる機体識別信号に対応した機体識別記号を表示する表示手段と、前記機体識別記号を前記表示手段から消去する表示消去機とからなる店員呼び出しシステムであって、前記送信手段は、それが傾いた状態が一定時間保持されると警報音を鳴らす警報手段を備える店員呼び出しシステムに存する。
【０００９】
また本発明は、前記送信手段が、該送信手段に内蔵された電源の電圧を測定する電圧測定部と、該電圧測定部で測定された測定結果が所定の値を下回っていた場合に、機体識別信号を含む電圧低下通知信号を前記表示手段に向かって発信する発信部と、をさらに備え、前記表示手段が、前記電圧低下通知信号に含まれる機体識別信号を一時的に保存するための記憶手段をさらに備え、前記表示手段は、前記表示消去機に設けられた残量情報表示スイッチに接続された発信手段から発信される信号を受信すると、前記記憶手段に保存された機体識別信号に対応した機体識別記号を表示する店員呼び出しシステムに存する。
【００１０】
また本発明は、前記表示手段が、機体識別記号を複数個表示することができる店員呼び出しシステムに存する。
【００１１】
また本発明は、前記表示消去機が、前記表示手段に表示された複数個の機体識別記号を一括して消す機能を有する店員呼び出しシステムに存する。
【００１２】
また本発明は、前記警報手段が、警報音を鳴らすと共に前記表示手段に向かって機体識別信号を含む警報信号を送信する機能を有し、前記表示手段は前記警報信号を受信すると、注意を喚起するための警告記号を表示する店員呼び出しシステムに存する。
【００１３】
また本発明は、前記電圧測定部は、前記呼び出し信号が発信された後に自動的に作動する店員呼び出しシステムに存する。
【００１４】
なお、本発明の目的に添ったものであれば上記の発明を適宜組み合わせた構成も採用可能である。
【発明の効果】
【００１５】
本発明の店員呼び出しシステムの送信手段は、送信手段が一定時間、所定の角度で傾斜した体勢を保持すると警報音が鳴る警報手段を備えるので、送信手段が盗難される確率を減少させることができる。
【００１６】
本発明の店員呼び出しシステムの送信手段が、送信手段に搭載された電源の電圧が所定の値以下になった時にのみ、機体識別信号を含む電圧低下通知信号を発信する電圧低下通知信号発信部を備えた場合、電源の交換時期を容易に把握することができる。そのため、電源不足で送信手段が機能せず、客に迷惑をかけるおそれが極力少なくなる。
【００１７】
本発明の表示消去機に、表示窓に表示された機体識別記号を一括して消去する一括消去スイッチが設けられた場合、店が忙しくなり識別情報を個々に消す時間を確保できない場合に、非常に有用である。
【発明を実施するための最良の形態】
【００１８】
《システムの全体構成》
本発明の一実施形態を、図面を用いて説明する。
図１は、本実施形態の店員呼び出しシステムを示す説明図である。
図１に示すように、本実施形態の店員呼び出しシステムＡは、大きくは複数個の送信手段１０と、送信手段１０から発信される呼び出し信号を受信し、その呼び出し信号を発信した送信手段を特定するための機体識別記号を表示窓２１に表示させる表示手段２０と、表示窓２１に表示された機体識別記号の消去を行う表示消去機３０とを基本の構成要素とする。
【００１９】
なお、本実施形態の店員呼び出しシステムＡにおいては、機体識別記号と、送信手段が置かれたテーブルのテーブル番号とを一致させているが、機体識別記号の種類、形状は特に限定されるものではなく、店員が呼び出し信号を発信した送信手段が置かれたテーブルの位置を容易に把握できる限り、ローマ数字、アルファベット、平仮名、漢字等を採用することも可能である。
【００２０】
送信手段１０は飲食店の各テーブルに一つずつ配置される。
各送信手段１０が発信する各種の信号には、その機体を特定するための機体識別信号が含まれており、それらの機体識別信号は互いに重複しないように調整されている。
【００２１】
表示手段２０は店員が店内のどの位置に居ても、表示手段２０に表示される機体識別記号を速やかに把握できるように、店内の目立つ位置に配置される。
【００２２】
表示消去機３０は目立つ場所で、且つ店員が操作し易い場所に配置される。
このような場所に表示消去機３０が配置されることで、表示手段２０に表示された機体識別記号を消去し易くなり、消し忘れを減少させることができる。
【００２３】
《システムの内容》
上記のような構成を備える店員呼び出しシステムＡの概要について説明する。
先ず、注文が決まり店員を呼び出す必要が生じた客が、手元にあるテーブル上の送信手段１０の呼び出しスイッチを押し、送信手段１０を作動させる。
【００２４】
送信手段１０が作動すると、送信手段１０は呼び出し信号を発信する。
その後、送信手段１０に搭載されている電圧低下通知信号発信部が自動的に作動し、送信手段１０を駆動源となる電池の電圧を測定する。
【００２５】
電源電圧の測定が行われた結果、電源電圧が予め設定された電圧を下回っていると、電圧低下通知信号発信部が判断した場合、電圧低下通知信号発信部は機体識別信号を含む電圧低下通知信号を表示手段２０に向かって発信する。
なお、測定した電源電圧の値が設定された電圧を上回っていた場合は、電圧低下通知信号は発信されない。
【００２６】
呼び出し信号及び電圧低下通知信号は、表示手段２０によって受信される。
表示手段２０が呼び出し信号を受信すると、表示手段２０は呼び出し信号に含まれる機体識別信号に対応した機体識別記号、すなわちテーブル番号を表示窓２１に表示する。
さらに、表示手段２０が電圧低下通知信号を受信すると、その電圧低下通知信号に含まれる機体識別信号は、表示手段２０が備える記憶手段に一時的に保存される。
【００２７】
また、表示手段２０はテーブル番号を一度に複数個表示することが可能であり、呼び出し信号を受信した順に左から表示する。
すなわち、表示手段２０は呼び出し信号を受信する度に右方にテーブル番号を表示させる。
テーブル番号が表示手段２０に表示されると、店員はそれを確認し、送信手段１０が最も先に押されたテーブル、すなわち表示手段２０の最も左側に表示されているテーブル番号のテーブルから優先して応対することとなる。
【００２８】
応対先のテーブルで客対応を終えた店員は、次に表示窓２１から識別記号（テーブル番号）を消去するための表示消去機３０に向かい、表示消去機３０が備える記号消去スイッチ３１を操作して、今作業を行ったテーブルの番号を表示手段２０から消去する。
【００２９】
本実施形態の店員呼び出しシステムＡにおいては、表示消去機３０上の記号消去スイッチ３１の並び順と、表示窓２１の並び順とは対応しているので、店員は自分が応対したテーブルの番号が表示されている表示窓２１の位置に対応する記号消去スイッチ３１を操作すれば、応対したテーブル番号が消去される。
応対済みのテーブルのテーブル番号が随時消去されることにより、別の店員が再び応対済みのテーブルに向かうような無駄が防止される。
【００３０】
さらに、表示窓２１からテーブル番号が消去されると、テーブル番号は左詰で再表示される。
例えば、表示窓２１に図２（ａ）に示すような順序でテーブル番号が表示されていた場合、左端に表示されている１７番のテーブル番号が消去されると、図２（ｂ）に示すように、１７番のテーブル番号よりも右に表示されていた全てのテーブル番号が一つずつ左にズレた状態で表示し直される。
従って、店員は常に最も左側に表示されている番号のテーブルを最優先で応対すれば良い。
【００３１】
なお、最も左に表示されているテーブル番号以外の番号が表示窓２１から消去された場合であっても、テーブル番号は表示窓２１に順次左詰で表示し直される。
【００３２】
また、表示手段２０が表示可能な数を超えた数の送信手段１０が操作されていた場合、図３に示すように、表示窓２１に表示しきれなかった９番のテーブル番号が最も右端の表示窓２１に新たに表示される。
【００３３】
そして例えば閉店後、店員が表示消去機３０の残量情報表示スイッチ３２を操作すると、表示手段２０は記憶手段に保存されていた機体識別信号を基に、電圧低下通知信号を発信した送信手段１０が置かれたテーブルの番号を表示する。
店員はその表示された番号のテーブルに置かれた送信手段の電池を交換し、翌日の開店に備えることとなる。
【００３４】
また、表示手段２０が一度に表示可能な数を超えた数の送信手段から電圧低下通知信号が発信されていた場合、店員は記号消去スイッチ３１を用いて表示手段２０に表示されている番号を消去することで、未表示のテーブル番号を表示手段２０に表示させることができる。
【００３５】
このように、本実施形態の店員呼び出しシステムＡの送信手段１０には、電源電圧を測定する機能が付与されているので、店員は送信手段１０の電源電圧の大きさを容易に且つ確実に把握することができる。
そのため、営業中に送信手段が作動せず客に不愉快な思いをさせることを極力防ぐことができる。
【００３６】
さらに、送信手段１０には盗難を防止するための警報手段が備えられている。
具体的には、警報手段は送信手段１０がある角度以上で傾けられたまま一定時間（例えば１０秒）保持されたと判断すると、警報音を鳴らすと共に、表示手段２０に機体識別信号を含む警告信号を発信する。
【００３７】
表示手段２０が警告信号を受信すると、送信手段１０が異常な状態であることを警告する警告記号及びその警告信号を発信した送信機が置かれたテーブルのテーブル番号が表示窓２１に最優先で表示される。
すなわち、警告信号が発信された際に、全ての表示窓２１にテーブル番号が表示されていたとしても、表示手段２０はそれらを一旦消去し、代わりに警告記号及びその警告信号を発信した送信機が置かれたテーブルのテーブル番号を表示する。
本実施形態の店員呼び出しシステムＡにおいては、警告記号として例えば「ＨＥＬＰ！」が表示され、「！」の右隣にテーブル番号が表示される。
そして、警告記号及びテーブル番号が一定時間表示された後に、警告記号が表示される以前に表示されていたテーブル番号が表示手段２０に再度表示される。
これにより、店員は持ち去られようとしている送信手段１０を瞬時に特定できるので、送信手段１０の盗難を未然に防止することができる。
【００３８】
本実施形態の店員呼び出しシステムＡの表示消去機３０は、表示手段２０に表示されている全てのテーブル番号を一括して消去することができる一括消去スイッチ３３を備える。
そのため、昼食時や夕食時等の繁忙な時間帯に、表示手段２０にすでに店員が応対済みのテーブル番号が複数個表示された状態であった場合でも、一括消去スイッチ３３が操作され、全部が一旦消える。
【００３９】
次に、本実施形態の店員呼び出しシステム全体を構成する構成要素について説明する。
［送信手段１０の構造］
図４は、送信手段を説明するシステムブロック図である。
送信手段１０は送信手段１０全体の制御を行う制御手段１１と、呼び出しスイッチ１６が押されると、表示手段２０に向かって呼び出し信号を発信する呼び出し信号発信手段１２と、送信手段１０が一定時間傾斜した状態が維持されると警報音を発すると共に機体識別信号を含む警報信号を発信する警報手段１３と、これらを作動させるための電源１４と、機体識別信号を含む電圧低下通知信号を発信する電圧低下通知信号発信部１５とを備える。
なお、送信手段１０は、図示しないハンディな筐体を備えており、該筐体に制御手段１１，呼び出し信号発信手段１２、警報手段１３、電源１４、電圧低下通知信号発信部１５、呼び出しスイッチ１６等が装備されている。
そのためお客は、送信手段１０を手で持って移動することが可能である。
本実施形態の送信手段１０においては、制御手段１１に装備されているマイクロコンピュータを用いており、制御手段１１は後述する角度検知器１３ａのスイッチが入った状態となった時間の計測等を行っている。
【００４０】
呼び出し信号発信手段１２は呼び出しスイッチ１６が押されると作動し、送信手段を特定するための機体識別信号を含む呼び出し信号を表示手段２０に向かって発信する。
【００４１】
ここで警報手段１３は、一定の角度（例えば５０°）以上傾くとスイッチが入る角度検知器１３ａを備える。
また角度検知器１３ａのスイッチが所定の時間（例えば１０秒）入った状態になると、警報音を鳴らすと共に警報信号を表示手段２０に向かって発信する警報信号発信手段１３ｂとを備える。
【００４２】
この角度検知機１３ａは、図５に示すような原理のものが好ましい、この角度検知機１３ａにおいては、図５（ａ）に示すように、二本の導線Ｘ，Ｙが湾曲したすり鉢状の基板１３ｄの周縁に設けられている。
そして、基板１３ｄ上に導電性の材質で形成された導通球１３ｃが配置されている。
図５（ｂ）は、囲みＺの拡大図である。
導線Ｘ及び導線Ｙは、図５（ｂ）に示すように、櫛形に這わせられた導線Ｘの歯と歯の間に、同じく櫛型に這わせられた導線Ｙの歯が入り込むように設置される。
いま、送信手段１０が傾斜すると（例えば、テーブル上に置いてある送信手段１０お客が手で取り上げると）、基板１３ｄも同様に傾斜し、そのことに伴い導通球１３ｃが基板１３ｄ上を転がり、図５（ｃ）に示すように、導線Ｘ及導線Ｙに同時に接触する。
その結果、導線Ｘと導線Ｙとが導通球１３ｃを介して導通し、警報手段１３のスイッチが入る。
このように導通球１３ｃを使った警報手段１３は構造が簡単で故障が少ない。
なお、基板１３ｄの曲率を変えることで、警報手段１３のスイッチが入る角度を調節することができる。
【００４３】
ところで、電圧低下通知信号発信部１５は、電源１４の電圧の大きさを測定する電圧測定部１５ａと、電圧の測定結果に応じて機体識別信号を含む電圧低下通知信号を発信する発信部１５ｂとを備える。  
電圧測定部１５ａは呼び出し信号が発信された後、自動的に作動し、電源１４の電圧を測定する。
この測定の結果、電源１４の電圧が予め設定された大きさの電圧を下回っていると、電圧測定部１５ａは発信部１５ｂに信号を発信する。
発信部１５ｂは電圧測定部１５ａからの信号を受信すると、電圧低下通知信号を表示手段２０に向かって発信する。
【００４４】
［表示手段２０の構造］
図６は表示手段のシステムブロック図である。
図６に示すように、表示手段２０は送信手段１０及び表示消去機３０から発信される各種の信号を受信し、その信号に含まれる各情報をデジタル情報に変換する受信手段２２と、受信手段２２から送られてくるデジタル情報の内容に応じて、表示窓２１に機体識別記号を表示させたり、表示窓２１から機体識別記号を消去したりする表示制御手段２３と、呼び出し信号に含まれる機体識別信号を一時的に保存するための第１記憶手段２４と、電圧低下通知信号に含まれる機体識別信号を一時的に保存するための第２記憶手段２５とを備える。
なお、表示制御手段２３の処理手順はフローチャートを用いて後述する。
【００４５】
［表示消去機３０の構造］
図７は、表示消去機の正面図である。
図７に示すように、表示消去機３０は表示されているテーブル番号を表示窓２１から消去する記号消去スイッチ３１と、表示されている全てのテーブル番号を一括消去する一括消去スイッチ３２と、電源の電圧が低下している送信手段が置かれたテーブルの番号を表示手段に表示させる電圧低下情報表示スイッチ３３とを備える。
【００４６】
記号消去スイッチ３１の数と表示窓の数とは一致しており、且つどの記号消去スイッチ３１がどの表示窓のテーブル番号を消すかが予め設定されている。
なお、本実施形態の表示消去機３０においては、記号消去スイッチ３１は横一列に並んでおり、且つ店員が押すべき記号消去スイッチ３１を瞬時に把握できるように、記号消去スイッチ３１が設けられた位置とテーブル番号が消去される表示機の表示窓の位置とが対応している。  
例えば、左から二番目に位置する記号消去スイッチ３１が押されると、左から二番目に位置する表示窓２１に表示されているテーブル番号が消去される。
【００４７】
残量情報表示スイッチ３３が押されると、表示手段２０は第２記憶手段２５に保存された電圧低下通知情報に含まれていた機体識別信号を基に、その機体識別信号に対応するテーブル番号を表示窓２１に表示する。
【００４８】
上述したこれらの表示消去機３０と表示手段２０とのやりとりは、信号を用いて行われる。
すなわち、各記号消去スイッチ３１はそれぞれ異なる発信手段に接続されており、スイッチが押されると、どの位置の記号消去スイッチ３１が押されたかを特定する位置情報が含まれた消去信号が発信される。
表示手段２０は消去信号を受信すると、受信した位置情報に対応した表示窓２１に表示されているテーブル番号を消去する。
【００４９】
同様に、一括消去スイッチ３２が押されると、一括消去スイッチ３２が押されることにより発信された信号であることを証明する情報が含まれた一括消去信号が発信され、表示手段２０は一括消去信号を受信すると、表示窓２１に表示されている全てのテーブル番号を消去する。
【００５０】
また、表示消去機３０の残量情報表示スイッチ３３が押されると、残量情報表示スイッチ３３が押されることにより発信された信号であることを示す情報を含む電圧低下情報表示信号が発信され、表示手段２０は電圧低下情報表示信号を受信すると、第２記憶手段２５に保存されている機体識別信号に対応したテーブル番号を表示窓２１に表示する。
以上述べたが、表示手段の表示制御手段や表示消去機の機能は、それらに装備されたマイクロコンピュータ（チップ基板）により制御されるものであることはいうまでもない。
【００５１】
図８は、表示制御手段の処理手順を示すフローチャートの一例である。
（ステップＳ１）
受信手段２２から送られてきたデジタル情報に、呼び出し信号であることを示す情報（以下、「呼び出し情報」という）が含まれているかを判断する。
【００５２】
（ステップＳ２）
受信手段２２から送られてきたデジタル情報に、呼び出し情報が含まれていた場合（Ｓ１：ＹＥＳ）、テーブル番号が表示されていない表示窓２１が存在するかどうかを判断する。
【００５３】
（ステップＳ３）
テーブル番号が表示されていない表示窓が存在する場合（Ｓ２：ＹＥＳ）、テーブル番号が表示されていない表示窓２１のうち、最も左に位置する表示窓２１に、送られてきたデジタル情報に含まれる機体識別信号に対応したテーブル番号を表示し、処理を終了する。
【００５４】
（ステップＳ４）
全ての表示窓２１にテーブル番号が表示されている場合（Ｓ２：ＮＯ）、送られてきたデジタル情報に含まれる機体識別信号を第１記憶手段２４に保存し、処理を終了する。
【００５５】
（ステップＳ５）
受信手段２２から送られてきたデジタル情報に呼び出し情報が含まれていない場合（Ｓ１：ＮＯ）、そのデジタル情報に電圧低下通知信号であることを示す情報（以下、「電圧低下通知情報」という）が含まれているかを判断する。
【００５６】
（ステップＳ６）
受信手段２２から送られてきたデジタル情報に、電圧低下通知情報が含まれていた場合（Ｓ５：ＹＥＳ）、送られてきたデジタル情報に含まれる機体識別信号を第２記憶手段２５に保存し、処理を終了する。
【００５７】
（ステップＳ７）
受信手段２２から送られてきたデジタル情報に、電圧低下通知情報が含まれていない場合（Ｓ５：ＮＯ）、送られてきたデジタル情報に警報信号であることを示す情報（以下、「警報情報」という）が含まれているかを判断する。
【００５８】
（ステップＳ８）
受信手段２２から送られてきたデジタル情報に、警報情報が含まれていた場合（Ｓ７：ＹＥＳ）、表示窓２１に警告記号を表示し、処理を終了する。
【００５９】
（ステップＳ９）
受信手段２２から送られてきたデジタル情報に、警報情報が含まれていない場合（Ｓ７：ＮＯ）、そのデジタル情報に消去信号であることを示す情報（以下、「消去情報」という）が含まれているかを判断する。
【００６０】
（ステップＳ１０）
受信手段２２から送られてきたデジタル情報に、消去情報が含まれていた場合（Ｓ９：ＹＥＳ）、送られてきたデジタル情報に含まれる位置情報と対応した表示窓２１に、テーブル番号が表示されているかを判断する。
そして、送られてきたデジタル情報に含まれる位置情報と対応した表示窓２１に、テーブル番号が表示されていない場合（ステップＳ１０：ＮＯ）、その時点で処理を終了する。
【００６１】
（ステップＳ１１）
対応する表示窓２１にテーブル番号が表示されている場合（Ｓ１０：ＹＥＳ）、そのテーブル番号を消去する。
【００６２】
（ステップＳ１２）
テーブル番号を消去した後、機体識別信号が第１記憶手段２４に保存されているかを調べる。
【００６３】
（ステップＳ１３）
機体識別信号が第１記憶手段２４に保存されていた場合（Ｓ１２：ＹＥＳ）、直前にテーブル番号が消去された表示窓２１の右隣に位置する表示窓２１に、テーブル番号が表示されているかを判断する。
【００６４】
（ステップＳ１４）
表示窓２１に、テーブル番号が表示されている場合（Ｓ１３：ＹＥＳ）、その時点で表示されているテーブル番号及び保存されていた機体識別信号に対応するテーブル番号を左詰で再表示し、処理を終了する。
【００６５】
（ステップＳ１５）
直前にテーブル番号が消去された表示窓２１の右隣に位置する表示窓２１に、テーブル番号が表示されていない場合（Ｓ１３：ＮＯ）、保存されている機体識別信号のうち、最も早い時期に保存された機体識別信号に対応するテーブル番号を、直前にテーブル番号が消去された表示窓２１に表示し、処理を終了する。
【００６６】
（ステップＳ１６）
機体識別信号が第１記憶手段２４に保存されていない場合（Ｓ１２：ＮＯ）、直前にテーブル番号が消去された表示窓２１の右隣に位置する表示窓２１に、テーブル番号が表示されているかを判断する。
そして、右隣の表示窓２１にテーブル番号が表示されていない場合（Ｓ１６：ＮＯ）、そこで処理を終了する。
【００６７】
（ステップＳ１７）
直前にテーブル番号が消去された表示窓２１の右隣に位置する表示窓２１に、テーブル番号が表示されている場合（Ｓ１６：ＹＥＳ）、その時点で表示されているテーブル番号を左詰で再表示し、処理を終了する。
【００６８】
（ステップＳ１８）
受信手段２２から送られてきたデジタル情報に、消去情報が含まれていない場合（Ｓ９：ＮＯ）、そのデジタル情報に一括消去信号であることを示す情報（以下、「一括消去情報」という）が含まれているかを判断する。
【００６９】
（ステップＳ１９）
受信手段２２から送られてきたデジタル情報に、一括消去情報が含まれていた場合（Ｓ１８：ＹＥＳ）、その時点で表示窓２１に表示されている全てのテーブル番号を消去する。
【００７０】
（ステップＳ２０）
全てのテーブル番号を消去した後、機体識別信号が第１記憶手段２４に保存されているかを調べる。
そして、機体識別信号が第１記憶手段２４に保存されていない場合（Ｓ２０：ＮＯ）、その時点で処理を終了する
【００７１】
（ステップＳ２１）
機体識別信号が第１記憶手段２４に保存されている場合（Ｓ２０：ＹＥＳ）、表示窓２１の数と同数の機体識別信号を、最も早い時期に保存されたものから順に第１記憶手段２４から取り出し、それぞれの機体識別信号に対応するテーブル番号を、第１記憶手段２４に保存された順に表示窓２１に表示させ、処理を終了する。
【００７２】
（ステップＳ２２）
受信手段２２から送られてきたデジタル情報に、一括消去情報が含まれていない場合（Ｓ１８：ＮＯ）、機体識別信号が第２記憶手段２５に保存されているか調べる。
そして、機体識別信号が第２記憶手段２５に保存されていない場合（Ｓ２２：ＮＯ）、その時点で処理を終了する。
【００７３】
（ステップＳ２３）
機体識別信号が第２記憶手段２５に保存されている場合（Ｓ２２：ＹＥＳ）、最も早い時期に保存された機体識別信号から保存順に表示窓２１と同数の機体識別記号を参照し、それぞれの機体識別信号に対応するテーブル番号を保存順に左詰で表示窓に表示させ、処理を終了する。
【００７４】
以上、本発明を説明してきたが、本発明は実施の形態に限定されることなく種々の変形例が可能である。
例えば、店内が非常に入り組んでいたり、多くの個室に分かれていたりする店において、本発明の店員呼び出しシステムが使われる場合、表示手段が送信手段から発信される各種の信号を確実に受信できるように、信号を中継する中継器を併用することが可能である。
【図面の簡単な説明】
【００７５】
【図１】図１は、本実施形態の店員呼び出しシステムを示す説明図である。
【図２】図２は、表示手段における、表示規則を示す説明図である。
【図３】図３は、表示手段における、表示規則を示す説明図である。
【図４】図４は、送信手段を説明するシステムブロック図である。
【図５】図５は、角度検知器の一例を示す模式図である。
【図６】図６は、表示手段のシステムブロック図である。
【図７】図７は、表示消去機の正面図である。
【図８】図８は、表示制御手段の処理手順を示すフローチャートの一例である。
【符号の説明】
【００７６】
１０・・・送信手段
１１・・・制御手段
１２・・・呼び出し信号発信手段
１３・・・警報手段
１３ａ・・・角度検知器
１３ｂ・・・警報情報発信手段
１３ｃ・・・導通球
１３ｄ・・・基板
１４・・・電源
１５・・・電圧低下通知信号発信部
１５ａ・・・電圧測定部
１５ｂ・・・発信部
１６・・・呼び出しスイッチ
２０・・・表示手段
２１・・・表示窓
２２・・・受信手段
２３・・・表示制御手段
２４・・・第１記憶手段
２５・・・第２記憶手段
３０・・・表示消去機
３１・・・記号消去スイッチ
３２・・・残量情報表示スイッチ
３３・・・一括消去スイッチ
Ａ・・・店員呼び出しシステム
Ｘ・・・導線
Ｙ・・・導線
【図１】
2008305032.tif 000003
【図２】
2008305032.tif 000004
【図３】
2008305032.tif 000005
【図４】
2008305032.tif 000006
【図５】
2008305032.tif 000007
【図６】
2008305032.tif 000008
【図７】
2008305032.tif 000009
【図８】
2008305032.tif 000010